(57)【要約】【課題】消費電力および信号処理のためのビット精度を増加させることなく、良好なコントラストが得られる映像表示を可能とする表示装置および表示方法を提供する。【解決手段】ガンマ補正のために２種類のＬＵＴを有し、入力したディジタルの映像信号の１フィールド分の信号値の平均値ＭＶを算出して、画面全体としての明暗レベルを把握し、当該明暗レベルに応じて、ＬＵＴを選択して映像信号に対してガンマ補正を行う映像信号処理部２と、水平同期信号ＨＳＹＮＣおよび垂直同期信号ＶＳＹＮＣに基づいて、各種のタイミング信号を生成するタイミングジェネレータ３と、画面全体としての明暗レベルに応じて、振幅を抑制するようにレベル変換された１Ｈ反転されたアナログ映像信号を生成するＬＣＤドライバ４と、タイミング信号に基づいて、アナログ映像信号をＬＣＤパネルに書き込むＬＣＤパネルモジュール５と、を有する。【選択図】図１
2005260329.tif 000002
【特許請求の範囲】
【請求項１】
印加電圧に応じて映像表示の階調を変化させる表示手段と、
映像信号を入力し、前記表示手段の表示特性に応じたガンマ補正を行うガンマ補正手段と、
単位フレームにおける前記映像信号の平均である平均映像信号値を算出する平均映像算出手段と、
ガンマ補正手段によりガンマ補正された映像信号と、前記平均映像信号値とに基づいて、前記表示手段に印加する印加電圧を生成する表示駆動手段と
を有する表示装置。
【請求項２】
前記表示駆動手段は、
前記平均映像信号値に応じて、印加電圧を制限する
請求項１記載の表示装置。
【請求項３】
前記ガンマ補正手段は、
前記表示手段の表示特性に応じて設定される複数の補正変換テーブルを有し、
前記平均映像信号値に応じて、前記複数の補正変換テーブルの中から選択した一の補正変換テーブルに基づいてガンマ補正を行う
請求項２記載の表示装置。
【請求項４】
印加電圧に応じて映像表示の階調を変化させる表示部の表示方法であって、
映像信号を入力するステップと、
入力した映像信号の単位フレーム分の平均である平均映像信号値を算出するステップと、
入力した映像信号に対して、前記表示部の表示特性に応じたガンマ補正を行うステップと、
ガンマ補正されたディジタル映像信号と、前記平均映像信号値とに基づいて、前記表示部に印加する印加電圧を生成するステップと
を有する表示方法。
【請求項５】
印加電圧を生成する際、前記平均映像信号値に応じて印加電圧を制限する
請求項４記載の表示方法。
【発明の詳細な説明】
【技術分野】
【０００１】
本発明は、印加電圧に応じて映像の表示階調を可変とする液晶表示装置（ＬＣＤ）などの表示装置および表示方法に関するものである。
【背景技術】
【０００２】
画素がマトリクス状に配列されて構成される表示装置、たとえば、液晶表示装置（ＬＣＤドライバ）の駆動方式として、画素のそれぞれに対して個々の独立した画素電極を配列し、これらの画素電極のそれぞれに薄膜トランジスタ（ＴＦＴ：Thin Film Transistor）等のスイッチング素子を接続して、画素を選択的に駆動する、いわゆるアクティブマトリクス駆動方式が知られている。
【０００３】
アクティブマトリクス型液晶表示装置では、スイッチング素子として例えば薄膜トランジスタが形成されたＴＦＴ基板と、カラーフィルタや対向電極等が形成された対向基板とを重ね合わせ、これら基板間に液晶を封入することによって液晶パネルが構成されている。そして、この液晶パネルにおいて、薄膜トランジスタによるスイッチング制御と映像信号に基づく電圧印加によって、液晶の配向を制御し、光の透過率を変えることで映像表示を行っている。
【０００４】
アクティブマトリクス型液晶パネルの駆動系では、一般的に、映像信号と水平、垂直同期信号をタイミングジェネレータおよびＬＣＤドライバが受け、タイミングジェネレータからは各種のタイミング信号を、ＬＣＤドライバからは交流駆動化されたアナログ映像信号をそれぞれ液晶パネルに供給することによって表示駆動が行われる。
ここで、交流駆動化されたアナログ映像信号とは、液晶に同極性の直流電圧が印加され続けることによって液晶の比抵抗（物質固有の抵抗値）等が劣化することを防ぐために、基準電圧Ｖｃｏｍを中心に、所定の周期により極性が反転するアナログ映像信号のことをいう。
【０００５】
また、上記交流駆動化されたアナログ映像信号による駆動方法として、１Ｈ反転駆動（１Ｈは１水平走査期間）が知られている。１Ｈ反転駆動は、横方向（水平方向）１ライン毎にアナログ映像信号の極性を反転させ、これをさらにフィールド毎に反転させる駆動方法である。
【発明の開示】
【発明が解決しようとする課題】
【０００６】
ところで、従来、上述したような液晶表示装置等の表示装置においては、最大輝度と最小輝度の比であるコントラストを改善するために、画像全体の表示レベルに関係なく、表示デバイスに入力可能な印加電圧の範囲内において、極力大振幅のアナログ映像信号を表示デバイスに供給している。
そのために、表示装置の消費電力が増大するという問題があると同時に、大振幅のアナログ映像信号を得るためには、比較的大きなトランジスタのプロセスを用いる必要があることから、表示デバイスを駆動するためのドライバＩＣのチップサイズが大きくなり、低コスト化が難しいという問題もある。
【０００７】
また、大振幅のアナログ映像信号をディジタルデータにより階調表示するため、単位階調当たりの精度が悪化し、表示デバイスにおいて印加電圧に対する表示輝度の階調の変動特性が大きい場合には、階調表示が荒くなるという問題がある。
【０００８】
一方、液晶表示装置において、液晶のＶ−Ｔ特性（電圧−透過率特性）が中間調において急峻なカーブを有しているため、中間調では、数ｍＶの電圧変動であっても透過率変動が大きいという特徴がある。従来は、かかる液晶のＶ−Ｔ特性を考慮して、ディジタル信号処理のビット精度を上げなければならず、結果として、低コスト化が難しいという問題がある。
【０００９】
本発明はかかる事情に鑑みてなされたものであり、その目的は、消費電力および信号処理のためのビット精度を増加させることなく、良好なコントラストが得られる映像表示を可能とする表示装置および表示方法を提供することにある。
【課題を解決するための手段】
【００１０】
上記目的を達成するために本発明の第１の観点は、印加電圧に応じて映像表示の階調を変化させる表示手段と、映像信号を入力し、前記表示手段の表示特性に応じたガンマ補正を行うガンマ補正手段と、単位フレームにおける前記映像信号の平均である平均映像信号値を算出する平均映像算出手段と、ガンマ補正手段によりガンマ補正された映像信号と、前記平均映像信号値とに基づいて、前記表示手段に印加する印加電圧を生成する表示駆動手段とを有する表示装置である。
【００１１】
好適には、前記表示駆動手段は、前記平均映像信号値に応じて、印加電圧を制限する。
【００１２】
好適には、前記ガンマ補正手段は、前記表示手段の表示特性に応じて設定される複数の補正変換テーブルを有し、前記平均映像信号値に応じて、前記複数の補正変換テーブルの中から選択した一の補正変換テーブルに基づいてガンマ補正を行う。
【００１３】
上記目的を達成するために本発明の第１の観点は、印加電圧に応じて映像表示の階調を変化させる表示部の表示方法であって、映像信号を入力するステップと、入力した映像信号の単位フレーム分の平均である平均映像信号値を算出するステップと、入力した映像信号に対して、前記表示部の表示特性に応じたガンマ補正を行うステップと、ガンマ補正されたディジタル映像信号に基づいて、前記平均映像信号値に応じて前記表示部に印加する印加電圧を制限するステップとを有する。
【００１４】
第１の観点に係る表示装置によれば、ガンマ補正手段は、映像信号を入力し、前記表示手段の表示特性に応じたガンマ補正を行い、平均映像算出手段は、単位フレームにおける前記映像信号の平均である平均映像信号値を算出し、表示駆動手段は、ガンマ補正手段によりガンマ補正された映像信号と前記平均映像信号値とに基づいて、表示手段に印加する印加電圧を生成するので、画面全体の明暗に応じて、良好なコントラストを維持しつつ、表示手段に対して最適な印加電圧を供給することができる。
【００１５】
第１の観点に係る表示装置によれば、前記表示駆動手段は、前記平均映像信号値に応じて、印加電圧を制限するので、消費電力を低減させることが可能となる。
【００１６】
第１の観点に係る表示装置によれば、前記ガンマ補正手段は、前記表示手段の表示特性に応じて設定される複数の補正変換テーブルを有し、前記平均映像信号値に応じて、前記複数の補正変換テーブルの中から選択した一の補正変換テーブルに基づいてガンマ補正を行うので、表示手段の表示特性に合った自然な階調表示が可能となる。
【発明の効果】
【００１７】
本発明によれば、消費電力および信号処理のためのビット精度を増加させないので、良好なコントラストが得られる映像表示を可能とするので、低コストと高い表示性能を両立できる利点がある。
【発明を実施するための最良の形態】
【００１８】
実施形態
以下、本発明の実施形態について添付図面を参照して説明する。
図１は、本発明の一実施形態に係るアクティブマトリックス型の液晶表示装置１の構成例を示すブロック図である。同図から明らかなように、液晶表示装置１は、映像信号処理部（２、タイミングジェネレータ（ＴＧ）３、ＬＣＤドライバ４、およびＬＣＤパネルモジュール５を有し、電界を印加しない状態で光が通過するノーマリーホワイトモードのパネル構成となっている。
以下、上記構成の液晶表示装置１の各構成要素について説明する。
【００１９】
映像信号処理部２は、ＲＧＢのディジタル映像信号を入力し、ホワイトバランス調整やガンマ調整などの画質調整を行う信号処理を実行する。
一般に、映像表示デバイスの入力信号に対する表示出力は、人間の目にとって線形に変化しているように見えないので、これを調整するためガンマ補正をおこなっている。すなわち、外部から入力されたＲＧＢの映像信号は、ＬＣＤパネルモジュール５に実装される液晶の電圧−透過率特性（Ｖ−Ｔ特性）に合ったガンマ補正が行われて出力される。
【００２０】
映像信号処理部２は、入力した映像信号の１画面当り、すなわち、１フィールド当りの映像信号の平均値（ＭＶ）を算出し、算出した１フィールド当りの映像信号の平均値ＭＶに応じたＤＣレベルの制御信号ＣＴＲＬを、ＬＣＤドライバ４へ供給する。
ここで、１フィールド当りの映像信号の平均値ＭＶを算出する理由は、後述するように、画面全体が明るいか暗いかに応じて、ＬＣＤドライバ４により生成されるアナログ映像信号の電圧レベルを調整するためである。
【００２１】
映像信号処理部２は、算出した１フィールド当りの映像信号の平均値ＭＶに応じて、ガンマ補正のための補正係数を変更する。
映像信号処理部２には、２種類の補正変換テーブル（以下、ＬＵＴ）が用意されており、入力するディジタル映像信号に対して、上記２種類のＬＵＴのうち、いずれかを適用してガンマ補正を行う。
【００２２】
図２は、映像信号処理部２に用意される２種類のＬＵＴによるガンマ補正の例であり、（ａ）は、液晶の電圧−透過率特性（Ｖ−Ｔ特性）を、（ｂ）および（ｃ）は、２種類のＬＵＴで決定されるガンマ補正の特性を、それぞれ示す。
図２（ａ）において、液晶に対する印加電圧が電圧範囲ＲＶ１にある場合と、電圧範囲ＲＶ２にある場合とでは、Ｖ−Ｔ特性が大きく異なるため、液晶の表示特性に合うような曲線（ガンマカーブ）によりガンマ補正が行われるようにする必要があり、図２（ｂ）および（ｃ）に示すガンマカーブが得られるように２種類のＬＵＴを設定する。
【００２３】
図２において、映像信号処理部２は、液晶への印加電圧が低い電圧範囲ＲＶ１（画面全体として比較的明るい）、すなわち、算出した１フィールド当りの映像信号の平均値ＭＶが所定の閾値（Ｄｔｈ）以上の場合には、図２（ｂ）に示すようなガンマカーブが得られるＬＵＴを選択する。逆に、液晶への印加電圧が高い電圧範囲ＲＶ２（画面全体として比較的暗い）、すなわち、算出した１フィールド当りの映像信号の平均値ＭＶが所定の閾値（Ｄｔｈ）以下の場合には、図２（ｃ）に示すようなガンマカーブが得られるＬＵＴを選択する。
【００２４】
以上のとおり、映像信号処理部２は、入力した映像信号の１画面当り、すなわち、１フィールド当りの映像信号の平均値ＭＶを算出し、算出した平均値ＭＶと所定の閾値（Ｄｔｈ）とを比較し、その比較結果に応じたＬＵＴによりガンマ補正を実行したディジタル映像信号出力Ｓ２と、算出した平均値ＭＶに応じたＤＣレベルの制御信号ＣＴＲＬとをＬＣＤドライバ４へ出力する（図１参照）。
【００２５】
タイミングジェネレータ３は、水平同期信号ＨＳＹＮＣおよび垂直同期信号ＶＳＹＮＣに基づいて、１Ｈ反転のための制御信号（１ＨＣ）を生成してＬＣＤドライバ４へ出力するとともに、垂直スタートパルスＶＳＴ、垂直クロックパルスＶＣＫ、水平スタートパルスＨＳＴおよび水平クロックパルスＨＣＫなどの各種のタイミング信号を生成してＬＣＤパネルモジュール５へ出力する。
また、タイミングジェネレータ３は、ＬＣＤドライバ４において実行されるサンプリング処理のためのサンプルホールドパルス（ＳＨＰ）を生成する。
【００２６】
ＬＣＤドライバ４は、タイミングジェネレータ３より供給される１Ｈ反転の制御信号（１ＨＣ）に基づいて、映像信号処理部２から出力されるＲＧＢの映像信号に対して、１Ｈ反転のための制御を行う。これにより、ＬＣＤドライバ４からは、１Ｈ周期により交流駆動化されたアナログ映像信号が出力される。
これにより、ＬＣＤパネルモジュール５の液晶に対して、直流電圧が印加され続けることによって生ずる液晶の比抵抗（物質固有の抵抗値）等の劣化を防ぐことができる。
【００２７】
図３は、ＬＣＤドライバ４が出力する１Ｈ周期により交流駆動化されたアナログ映像信号の波形の一例を示す。
図３に示すように、ＬＣＤドライバ４から出力されるアナログ映像信号は、基準電圧Ｖｃｏｍを中心として、横方向（水平方向）１ライン毎に極性が反転され、さらに、フィールド（１Ｆ）毎に、同ラインの信号が反転される。ＬＣＤドライバ４は、このように交流駆動化されたアナログ映像信号を生成する。
【００２８】
なお、ＬＣＤドライバ４は、Ｄ／Ａ変換回路およびサンプルホールド回路を内蔵し、映像信号処理部２からのディジタル映像信号をアナログ信号に変換し、タイミングジェネレータ３から供給されるサンプルホールドパルス（ＳＨＰ）に基づいて、一定間隔でサンプリングした信号を生成し、上述のような交流化処理を行う。
【００２９】
上述したように、ＬＣＤドライバ４は、基本的には、上述したように交流駆動化されたアナログ映像信号を生成して出力するが、その際、映像信号処理部２より与えられる制御信号ＣＴＲＬに応じて、上記生成したアナログ映像信号をレベル変換して、ＬＣＤパネルモジュール５へ出力する。
図４は、ＬＣＤドライバ４において行われるアナログ映像信号のレベル変換処理を示す波形図であり、（ａ）は、レベル変換を行わない場合を、（ｂ）は、明るい側にレベル変換を行う場合を、（ｃ）は、暗い側にレベル変換を行う場合を、それぞれ示す。
【００３０】
たとえば、１０ビットのディジタル信号処理が行われた映像信号に基づいて、アナログ映像信号を生成する場合、図４（ａ）において、ディジタル映像信号のディジタル値「０００ｈ」は、非反転側においてＶｎ４のレベル、反転側においてＶｒ４のレベルとなる。ディジタル映像信号のディジタル値「３ＦＦｈ」は、非反転側においてＶｎ１（＞Ｖｎ４）のレベル、反転側においてＶｒ１（＜Ｖｒ４）のレベルになる。
したがって、図４（ａ）において、アナログ映像信号の動作範囲は、図中のＶｎ４〜Ｖｎ１（非反転側）及びＶｒ１〜Ｖｒ４（反転側）の範囲である。
【００３１】
ＬＣＤドライバ４は、映像信号処理部２が算出した１フィールド当りの映像信号の平均値、すなわち、１画面全体の明暗に応じたＤＣレベルの制御信号ＣＴＲＬを供給されているので、供給された制御信号ＣＴＲＬに基づいて、出力するアナログ映像信号の動作範囲をレベル変換する。
すなわち、映像信号処理部２により画面全体が比較的明るいと判断した結果に基づく制御信号ＣＴＲＬが与えられた場合、図４（ｂ）に示すように、アナログ映像信号がＶｎ３〜Ｖｎ１（非反転側）およびＶｒ１〜Ｖｒ３（反転側）の範囲をとるようにレベル変換を行う。
また、映像信号処理部２により画面全体が比較的暗いと判断した結果に基づく制御信号ＣＴＲＬが与えられた場合、図４（ｃ）に示すように、アナログ映像信号がＶｎ４〜Ｖｎ２（非反転側）およびＶｒ２〜Ｖｒ４（反転側）の範囲をとるようにレベル変換を行う。
【００３２】
上述したように、アナログ映像信号に対してレベル変換を行うと、図４（ｂ）の場合、黒レベルが明るい側にずれることになるが、一般に、人間の目の感度は光の量に対して線形でないため、画面全体として明るい画像の場合には、黒レベルが多少明るい側にずれていてもコントラストが悪く見えることはない。
また、図４（ａ）の場合、白レベルが暗い側にずれることになるが、一般に、画面全体として暗い画像の場合には、白レベルが多少暗く出ていても人間の目には十分コントラストがあるように見えるので、問題はない。
【００３３】
ＬＣＤパネルモジュール５は、ＬＣＤドライバ４から供給されるアナログ映像信号により、タイミングジェネレータ３からの所定のタイミング信号に同期して、映像表示のために駆動される。
図５に、ＬＣＤパネルモジュール５の回路構成の一例を示す。
ここでは、図面の簡略化のため、３行（ｎ−１行〜ｎ＋１行）４列（ｍ−１列〜ｍ＋２列）の画素配列の場合を例として示している。
【００３４】
図５において、表示エリア（有効画素エリア）５１には、画素トランジスタである薄膜トランジスタＴＦＴ、液晶セルＬＣおよび保持容量Ｃｓを有する単位画素５２がマトリクス状に配列されている。ここで、液晶セルＬＣは、薄膜トランジスタＴＦＴで形成される画素電極とこれに対向して形成される対向電極との間で発生する容量を意味する。
【００３５】
上述の画素構造において、薄膜トランジスタＴＦＴは、ゲート電極が垂直走査線５３ｎ−１，５３ｎ，５３ｎ＋１に接続され、ソース電極が信号線５４ｍ−１，５４ｍ，５４ｍ＋１，５４ｍ＋２に接続されている。
液晶セルＬＣは、画素電極が薄膜トランジスタＴＦＴのドレイン電極に接続され、対向電極がコモン線５５に接続されている。保持容量Ｃｓは、薄膜トランジスタＴＦＴのドレイン電極とコモン線２５との間に接続されている。コモン線２５には、基準電圧であるコモン電圧Ｖｃｏｍが印加されている。
【００３６】
垂直走査線５３ｎ−１，５３ｎ，５３ｎ＋１の各一端は、垂直駆動回路５６の対応する行の各出力端にそれぞれ接続されている。信号線５４ｍ−１，５４ｍ，５４ｍ＋１，５４ｍ＋２の各一端は、水平駆動回路５７の対応する行の各出力端にそれぞれ接続されている。
【００３７】
垂直駆動回路５６には、図１に示すタイミングジェネレータ３からタイミング信号として、垂直スタートパルスＶＳＴおよび垂直クロックパルスＶＣＫが与えられる。
垂直駆動回路５６は、垂直スタートパルスＶＳＴに応答して垂直駆動（垂直走査）を開始し、垂直クロックパルスＶＣＫに同期して走査パルスφＶｎ−１，φＶｎ，φＶｎ＋１を順次出力し、垂直走査線５３ｎ−１，５３ｎ，５３ｎ＋１に印加する。
【００３８】
水平駆動回路５７には、図１に示すＬＣＤドライバ４からのアナログ映像信号が供給されるとともに、タイミングジェネレータ３からタイミング信号として、水平スタートパルスＨＳＴおよび水平クロックパルスＨＣＫが与えられる。
水平駆動回路５７は、水平スタートパルスＨＳＴに応答して水平駆動を開始し、水平クロックパルスＨＣＫに同期してアナログ映像信号を１Ｈ毎に順次サンプリングする。
【００３９】
水平駆動回路５７の駆動方式としては、点順次駆動方式と線順次駆動方式とがある。
点順次駆動方式の場合には、１Ｈ分のアナログ映像信号を順次サンプリングしてそのまま順に信号線５４ｍ−１，５４ｍ，５４ｍ＋１，５４ｍ＋２に出力する。これにより、垂直駆動回路５６により選択されているライン（行）の画素５２に対して、順番に映像信号が書き込まれる。
【００４０】
線順次駆動方式の場合には、アナログ映像信号を順次サンプリングし、かつ１ライン（１Ｈ）分の映像信号を一旦ラッチする。そして、このラッチした１ライン分の映像信号を一括して信号線５４ｍ−１，５４ｍ，５４ｍ＋１，５４ｍ＋２に出力する。これにより、垂直駆動回路５６により選択されているライン（行）の画素５２に対して、１ライン分の映像信号が一斉に書き込まれる。
【００４１】
なお、本実施形態に係る液晶表示装置１では、水平駆動回路５７の駆動方式として点順次駆動方式をとるか、線順次駆動方式をとるかは問わない。すなわち、本発明は、いずれの駆動方式の水平駆動回路５７に対しても適用可能である。
【００４２】
以上、液晶表示装置１の各構成要素について説明した。
次いで、上述した構成を有する本実施形態に係る液晶表示装置１の動作について、図１に関連付けて述べる。
映像信号処理部２は、ディジタルの映像信号を入力すると、入力した映像信号の１フィールド分の信号値の平均値ＭＶを算出して、所定の閾値（Ｄｔｈ）と比較することにより画面全体としての明暗レベルを把握するとともに、算出した平均値ＭＶに応じて、入力した映像信号に対して、ガンマ補正を行う。
その際、ガンマ補正のために２種類の補正変換テーブル（以下、ＬＵＴ）が用意され、算出した平均値ＭＶと所定の閾値（Ｄｔｈ）とを比較して、その比較結果に応じて液晶のＶ−Ｔ特性に合ったＬＵＴを選択して、ガンマ補正を行うので、人間の目にとって自然な階調となった映像信号Ｓ２が生成される。
【００４３】
映像信号処理部２は、映像信号の１フィールド分の信号値の平均値ＭＶを基にして把握した画面全体としての明暗レベルの情報を、ＤＣレベルの制御信号ＣＴＲＬとして、ＬＣＤドライバ４に供給し、ＬＣＤドライバ４は、ガンマ補正された映像信号Ｓ２に基づいて、１Ｈ反転駆動のためのアナログ映像信号を生成するが、その際、制御信号ＣＴＲＬに応じて、アナログ信号の動作範囲を制限するようにレベル変換を行う。
すなわち、画面全体が比較的明るい場合には、黒レベルの電圧値が明るい側へずれるように、アナログ信号をレベル変換する。画面全体が比較的暗い場合には、白レベルの電圧値が暗い側へずれるように、アナログ信号をレベル変換する。
【００４４】
ＬＣＤパネルモジュール５は、ＬＣＤドライバ４により供給されるアナログ映像信号により、タイミングジェネレータ３から与えられる所定のタイミング信号に基づいて、順次書込みを行う。
【００４５】
以上説明したように、本発明の実施形態に係る液晶表示装置１によれば、ガンマ補正のために２種類のＬＵＴを有し、入力したディジタルの映像信号の１フィールド分の信号値の平均値ＭＶを算出して、画面全体としての明暗レベルを把握し、当該明暗レベルに応じて、ＬＵＴを選択して映像信号に対してガンマ補正を行う映像信号処理部２と、水平同期信号ＨＳＹＮＣおよび垂直同期信号ＶＳＹＮＣに基づいて、各種のタイミング信号を生成するタイミングジェネレータ３と、画面全体としての明暗レベルに応じて、振幅を抑制するようにレベル変換された１Ｈ反転されたアナログ映像信号を生成するＬＣＤドライバ４と、タイミング信号に基づいて、アナログ映像信号をＬＣＤパネルに書き込むＬＣＤパネルモジュール５と、を有しているので、以下の効果を得ることができる。
【００４６】
すなわち、一般に、人間の目の感度は光の量に対して線形でないため、画面全体として明るい画像の場合には、黒レベルが多少明るい側にずれていてもコントラストが悪く見えることがないこと、および、画面全体として暗い画像の場合には、白レベルが多少暗く出ていても人間の目には十分コントラストがあるように見えること、に着目し、画面全体としての明暗レベルを把握することで、アナログ映像信号の振幅を抑制させることが可能となり、その結果、低消費電力と良好なコントラスト感のある映像表示を両立させることが可能である。
【００４７】
その際、画面全体の明暗レベルに応じてアナログ映像信号をレベル変換させた場合に、印加電圧範囲によってＬＣＤのＶ−Ｔ特性が異なるため、画面全体の明暗レベルに応じて設定された２種類のＬＵＴから選択的にガンマ補正を行うことで、自然に階調表示をさせることが可能である。
以上のように、本実施形態に係る液晶表示装置１によれば、ディジタル信号処理のビット精度を上げずに、消費電力を低減させつつ、良好なコントラスト感のある映像表示が可能になる。
【００４８】
なお、本発明の実施形態は上述した内容に拘泥せず、本発明の要旨を変更しない範囲で様々な改変が可能である。
たとえば、上述した実施形態の内容では、映像信号処理部２において、ガンマ補正のためのＬＵＴが２種類設定されることとしたが、２種類に限定されず、記憶容量が許せば、より多くの種類のＬＵＴを設定してもよい。その場合には、ＬＵＴの数に応じて、ＬＣＤドライバ４でのアナログ信号出力のレベル変換をより細かく設定することができる。
【図面の簡単な説明】
【００４９】
【図１】本発明の一実施形態に係る液晶表示装置の構成例を示すブロック図である。
【図２】映像信号処理部においてＬＵＴにより設定される２種類のガンマカーブを説明するための図であり、（ａ）は液晶のＶ−Ｔ特性を、（ｂ）および（ｃ）は、設定される２種類のガンマカーブを、それぞれ示す。
【図３】１Ｈ反転駆動によるアナログ映像信号を示す波形図である。
【図４】ＬＣＤドライバにおいて行われるアナログ映像信号のレベル変換処理を示す波形図であり、（ａ）は、レベル変換を行わない場合を、（ｂ）は、明るい側にレベル変換を行う場合を、（ｃ）は、暗い側にレベル変換を行う場合を、それぞれ示す。
【図５】ＬＣＤパネルモジュール内部の回路構成例を示す回路図である。
【符号の説明】
【００５０】
１…液晶表示装置、２…映像信号処理部、３…タイミングジェネレータ、４…ＬＣＤドライバ、５…ＬＣＤパネルモジュール。
【図１】
2005260329.tif 000003
【図２】
2005260329.tif 000004
【図３】
2005260329.tif 000005
【図４】
2005260329.tif 000006
【図５】
2005260329.tif 000007